(57)【要約】【課題】電力を消費する発光素子等を用いることなく、発光するような装飾を棚装置を構成する板体に施すことができる棚装置を提供すること。【解決手段】物品を載置できる棚部１０を有する棚装置であって、重畳して配置される複数の非透過性板部材１１，１２の間に、少なくとも二方が開口される空間部を形成し、空間部に、透過性部材１３を設けることで、棚装置を構成する板体１０が形成される。【選択図】図２
2010005145.tif 000002
【特許請求の範囲】
【請求項１】
物品を載置できる棚部を有する棚装置であって、
重畳して配置される複数の非透過性板部材の間に、少なくとも二方が開口される空間部を形成し、該空間部に、透過性部材を設けることで、前記棚装置を構成する板体が形成されることを特徴とする棚装置。
【請求項２】
前記透過性部材が板状をなし、該透過性部材は前記非透過性板部材同士により挟持されることを特徴とする請求項１に記載の棚装置。
【請求項３】
前記透過性部材の端部は、前記非透過性板部材の端部より内方側に配置されることを特徴とする請求項１または２に記載の棚装置。
【請求項４】
いずれか一方の側部側の非透過性板部材以外の非透過性板部材と、前記透過性部材と、に貫通孔を形成し、該貫通孔に挿入した螺合部材を、前記一方の側部側の非透過性板部材に螺合したことを特徴とする請求項１ないし３のいずれかに記載の棚装置。
【請求項５】
前記板体が前記棚部を構成しており、該棚部は、複数立設された支柱間に架設されることを特徴とする請求項１ないし４のいずれかに記載の棚装置。
【請求項６】
前記支柱間には、透過性を有する材質で形成された仕切板が設けられていることを特徴とする請求項５に記載の棚装置。
【請求項７】
前記透過性部材は、着色されていることを特徴とする請求項１ないし６のいずれかに記載の棚装置。
【発明の詳細な説明】
【技術分野】
【０００１】
本発明は、物品を載置できる棚部を有する棚装置に関する。
【背景技術】
【０００２】
従来、商品販売店舗等において設置される商品陳列棚には、上壁板と底壁板の間に中空部を形成し、この中空部に所定間隔で複数の下方照明用のＬＥＤ等の発光素子を下向きに保持した基板を内蔵し、底壁板を透光板で構成することで、棚板の下方の商品を明るく照らせるようにし、発光素子の前方に反射板を設けることで、この反射板により反射された光が上壁板の透光部を透過することで、棚板の上方の商品を明るく照らせるようにしている（例えば、特許文献１参照）。
【０００３】
また、間仕切パネルや棚板などに使用される化粧材として、透過性を有する熱可塑性樹脂板の上下両面に、透過性を有する熱硬化性樹脂層を設けることで、表面を傷つき難くした化粧材があり、このような化粧材を棚板に用いた場合には、棚板の上方から透過した光によって棚板の下方の商品等を明るく照らせるようになっている（例えば、特許文献２参照）。
【０００４】
【特許文献１】特開２００５−２８５７０１号公報（第４頁、第１図）
【特許文献２】特開２００２−８６６２８号公報（第３頁、第１図）
【発明の開示】
【発明が解決しようとする課題】
【０００５】
特許文献１及び２に記載の棚板にあっては、商品等に対して照明を行うという点では、優れているものの、棚板自体を装飾する点に関しては全く考慮されていない。また、商品販売店舗等では、発光するような装飾部材を棚板自体に施すことで棚装置全体の見栄を向上させたいという要望がある。しかしながら、光源にＬＥＤ等の発光素子を用いて棚板を装飾してしまうと、常に電力を消費する棚装置となってしまうので、近年、求められるエコロジーの観点から倦厭される傾向があり、電力を消費しないで済む、棚板（板体）の装飾が必要とされている。
【０００６】
本発明は、このような課題に着目してなされたもので、電力を消費する発光素子等を用いることなく、発光するような装飾を棚装置を構成する板体に施すことができる棚装置を提供することを目的とする。
【課題を解決するための手段】
【０００７】
前記課題を解決するために、本発明の請求項１に記載の棚装置は、
物品を載置できる棚部を有する棚装置であって、
重畳して配置される複数の非透過性板部材の間に、少なくとも二方が開口される空間部を形成し、該空間部に、透過性部材を設けることで、前記棚装置を構成する板体が形成されることを特徴としている。
この特徴によれば、空間部の一方の開口から入射した光が、透過性部材を介して空間部の他方の開口から外部に照射されるようになり、電力を消費する発光素子等を用いなくても、棚装置を構成する板体に対して発光するような装飾を容易に施すことができる。
【０００８】
本発明の請求項２に記載の棚装置は、請求項１に記載の棚装置であって、
前記透過性部材が板状をなし、該透過性部材は前記非透過性板部材同士により挟持されることを特徴としている。
この特徴によれば、板状をなす透過性部材が非透過性板部材の表面に広く接触し、透過性部材の支持が容易となり、かつ上下の非透過性板部材の間の空間部が全周に渡って開口され、透光性部材を通過した光が板体の端部に沿って直線の線状となって見え易くなる。また、非透過性板部材と透過性部材とが積層されて板体の強度を向上させることができる。
【０００９】
本発明の請求項３に記載の棚装置は、請求項１または２に記載の棚装置であって、
前記透過性部材の端部は、前記非透過性板部材の端部より内方側に配置されることを特徴としている。
この特徴によれば、透過性部材が非透過性板部材に対して内側に凹設されるようになるので、透過性部材の端部に外方から物などが当たり難くなり、透過性部材の端部に疵が着き難くなる。また、非透過性板部材により光の拡散方向が限定されて、光の照射方向が定められるようになる。
【００１０】
本発明の請求項４に記載の棚装置は、請求項１ないし３のいずれかに記載の棚装置であって、
いずれか一方の側部側の非透過性板部材以外の非透過性板部材と、前記透過性部材と、に貫通孔を形成し、該貫通孔に挿入した螺合部材を、前記一方の側部側の非透過性板部材に螺合したことを特徴としている。
この特徴によれば、螺合部材により非透過性板部材と透過性部材との連結剛性をより高めることができ、かつ一方の側部側の非透過性板部材の表面側には、螺合部材を貫通する貫通孔を形成せずに済むようになり、該表面側には、螺合部材や貫通孔による凹凸が形成されないので、平坦な表面として安全性が確保されるばかりか、見栄えが向上する。
【００１１】
本発明の請求項５に記載の棚装置は、請求項１ないし４のいずれかに記載の棚装置であって、
前記板体が前記棚部を構成しており、該棚部は、複数立設された支柱間に架設されることを特徴としている。
この特徴によれば、支柱により棚部が架設されるため、棚部を構成する板体の四方が遮られることなくなり、板体の空間部の開口から光が入射し易くなる。
【００１２】
本発明の請求項６に記載の棚装置は、請求項５に記載の棚装置であって、
前記支柱間には、透過性を有する材質で形成された仕切板が設けられていることを特徴としている。
この特徴によれば、板体の空間部の開口に入射される光が、支柱間に配置される仕切板により遮られることがなくなる。
【００１３】
本発明の請求項７に記載の棚装置は、請求項１ないし６のいずれかに記載の棚装置であって、
前記透過性部材は、着色されていることを特徴としている。
この特徴によれば、透過性部材を透過した光に色が着くようになり、棚装置の見栄えを向上させることができる。
【発明を実施するための最良の形態】
【００１４】
本発明に係る棚装置を実施するための最良の形態を実施例に基づいて以下に説明する。
【実施例１】
【００１５】
本発明の実施例を図面に基づいて説明すると、先ず図１は、実施例１における棚装置を示す斜視図であり、図２は、棚板を示す分解斜視図であり、図３は、棚板を示す平面図であり、図４は、図３における棚板を示すＡ−Ａ縦断側面図である。以下、図１及び図２の紙面左下側を棚装置の正面側（前方側）とし、図３の紙面下側を棚装置の正面側（前方側）とし、図４の紙面左側を棚装置の正面側（前方側）として説明する。
【００１６】
図１の符号１は、本発明の適用された棚装置である。この棚装置１は、主に販売店舗等において商品（物品）を陳列する商品陳列用の棚装置として使用される。図１に示すように、棚装置１は、床面から延びる４本の支柱２を有している。この支柱２の下部には、引出し部３を備える収納部４が設けられており、この収納部４を介してそれぞれの支柱２の下部同士が連結されている。
【００１７】
また、それぞれの支柱２の上部同士は、連結材５により連結されている。尚、本実施例では、棚装置１における収納部４や支柱２や連結材５は、集成材（木材）を用いて形成されている。特に、エコロジーの観点から天然ゴムを採取した後に廃棄されたゴムノキを利用した集成材を用いている。
【００１８】
４本の支柱２の内、背面側に配置される２本の支柱２間には、透過性を有するアクリル樹脂を用いて形成された本実施例における仕切板としての透過背面板６が設けられている。また、背面側に配置される支柱２の正面側には、その支柱２の長手方向の略全長に渡って金属製の金属フレーム部７が設けられており、この金属フレーム部７には、その長手方向に複数連設された係止穴部８が形成されている。
【００１９】
金属フレーム部７の係止穴部８には、金属製のブラケット９が係止できるようになっており、このブラケット９は、本実施例における板体及び棚部としての棚板１０に螺着されている。本実施例の棚装置１では、上下２段の棚板１０が設けられている。
【００２０】
次に、本実施例における棚板１０について詳述する。図２に示すように、１段の棚板１０は、上下に重畳して配置される２枚の本実施例における非透過性板部材としての木板１１，１２と、この木板１１，１２同士の間に配置される１枚の本実施例における透過性部材としてのアクリル板１３と、を有している。
【００２１】
尚、木板１１，１２は、前述した支柱２と同様に集成材（木材）を用いて形成されており、アクリル板１３は、透過性を有するアクリル樹脂を用いて形成されている。更に尚、アクリル板１３は、透過性を有しつつ、棚板１０の上面に載置される商品に応じた所定の色に着色されている。
【００２２】
下方側に配置される木板１２及びアクリル板１３には、上下方向に貫通される複数の貫通孔１４，１５が形成されており、それぞれの貫通孔１４，１５には、下方側の木板１２の下面側から本実施例における螺合部材としてのネジ１６が挿設されるようになっている。
【００２３】
図４に示すように、下方側の木板１２及びアクリル板１３の貫通孔１４，１５に挿設されたネジ１６は、上方側の木板１１の下面側に螺合されるようになっており、このネジ１６により上下の木板１１，１２及びその間に挟持されるアクリル板１３が強固に連結されるようになっている。
【００２４】
尚、上下の木板１１，１２及びアクリル板１３が連結された状態において、２枚の木板１１，１２はアクリル板１３を介して上下方向に離間して配置され、上方の木板１１の下面から下方の木板１２の上面までの所定の間隙Ｓが形成される。この間隙Ｓが本実施例における空間部Ｓを構成している。更に尚、空間部Ｓにおける前後方向及び左右方向の略全体に渡ってアクリル板１３が配置されている。
【００２５】
また、図２に示すように、下方側の木板１２の下面側における左右端縁近傍には、前述したブラケット９がネジ１７を用いて固着されている。ブラケット９の後端部には、前述した金属フレーム部７の係止穴部８に係止される係止片１８が形成されている。
【００２６】
図３に示すように、木板１１，１２及びアクリル板１３は、それぞれ平面視で長方形状をなす板状部材となっている。また、平面視におけるアクリル板１３の大きさは、木板１１，１２の大きさよりも若干小さくなるように形成されている。
【００２７】
図４に示すように、アクリル板１３の端縁は、木板１１，１２の端縁よりも僅かに内方側に配置されている。尚、本実施例では、木板１１，１２の端部からアクリル板１３の端部までの所定の距離Ｄは約２ｍｍとなっている。更に尚、この所定の距離Ｄを約２ｍｍとすることで、前述した空間部Ｓ内において、棚板１０の端部表面近傍までアクリル板１３の端部を配置して、棚板１０の端部表面からアクリル板１３の端部が若干見えるようにしている。
【００２８】
図３に示すように、棚装置１では、平面視において棚板１０の四隅に支柱２が配置されており、棚板１０の背面側の辺には、透過背面板６が配置されている。このように棚板１０の四方のいずれの方向からでも外部からの光が棚板１０に届くようになっており、後述するように、アクリル板１３の四方の辺から光が入射されるようになっている。また、棚板１０上の商品を明るく照らすこともできる。
【００２９】
本実施例における棚装置１では、店舗等の室内の照明装置（図示略）等から棚装置１に対して外方から光が照射されるようになっている。棚装置１に光が照射されると、棚板１０の四方の辺に形成された空間部Ｓの開口から空間部Ｓ内、すなわちアクリル板１３内に外方からの光が入射されるようになっている。次に、棚装置１の背面側から照明装置（図示略）の光が照射された際の作用ついて説明する。
【００３０】
図３に示すように、棚装置１の背面側から光が照射されると、透過背面板６を透過した光が棚板１０の背面側の辺に照射される。そして、図４に示すように、棚板１０の背面側の辺における空間部Ｓの開口から光が空間部Ｓ内に入射される。この光はアクリル板１３の背面側の端部からアクリル板１３の内部に入射される。
【００３１】
アクリル板１３内に入射された光は、アクリル板１３の上面と下面における外部との境界面（反射面）によって連続的に反射されてアクリル板１３の前方側の端部から外部に照射される。そして、この光は、棚板１０の正面側の辺における空間部Ｓの開口から外部に照射される。
【００３２】
尚、上下の木板１１，１２及びアクリル板１３の連結のために、接着剤等を用いずにネジ１６等の螺合部材を用いて螺合させることで、アクリル板１３の上面及び下面の境界面（反射面）の状態を滑らかな状態に保ったまま、木板１１，１２及びアクリル板１３との連結を行うことができ、アクリル板１３の端部から入射された光がスムーズにアクリル板１３の他方の端部から外部に照射されるようになっている。棚装置１の正面側に立つ客（人物）の目には、棚板１０の正面側の端縁に沿って線状に光る装飾が施されているように見える。
【００３３】
更に尚、本実施例では、空間部Ｓの背面側の開口から入射された光が、空間部Ｓにおいて対向する正面側の開口から照射される構成となっているとともに、空間部Ｓの側面側の開口から入射された光が、空間部Ｓの正面側の開口から照射されるようにもなっている。つまり、空間部Ｓには、光の入射用の開口と照射用の開口との少なくとも２方向の開口が必要であり、これら空間部Ｓの２方向の開口は、互いに対向して配置されることが好ましいが、必ずしも対向している必要はない。
【００３４】
以上、本実施例における棚装置１では、重畳して配置される複数の非透過性板部材としての木板１１，１２の間に、少なくとも２方向が開口される空間部Ｓを形成し、この空間部Ｓに、透過性部材としてのアクリル板１３を設けることで、空間部Ｓの一方の開口から入射した光が、アクリル板１３を介して空間部Ｓの他方の開口から外部に照射されるようになり、電力を消費する発光ダイオード（ＬＥＤ）等の発光素子等を用いなくても、棚装置１の棚板１０に対して発光するような装飾を容易に施すことができる。そのためエコロジーの観点から棚装置１自体が電力を消費しないで済む構成となっている。
【００３５】
また、アクリル板１３が板状をなし、このアクリル板１３は上下の木板１１，１２同士により挟持されることで、板状をなすアクリル板１３が木板１１，１２の表面に広く接触し、アクリル板１３の支持が容易となり、かつ上下の木板１１，１２の間の空間部Ｓが全周に渡って開口され、アクリル板１３を通過した光が棚板１０の端部に沿って直線の線状となって見え易くなる。また、上下の木板１１，１２とアクリル板１３とが積層されて棚板１０の強度を向上させることができる。
【００３６】
また、アクリル板１３の端部は、木板１１，１２の端部よりも僅かに内方側に配置されることで、アクリル板１３が木板１１，１２に対して内側に凹設されるようになるので、アクリル板１３の端部に外方から物などが当たり難くなり、アクリル板１３の端部に疵が着き難くなる。また、上下の木板１１，１２によりアクリル板１３の端部から照射される光の拡散方向が限定されて、光の照射方向が定められるようになり、光の拡散方向が確実に上下の木板１１，１２の間に収まり、より確実に光を線状に見せることができる。
【００３７】
また、上方側（いずれか一方の側部側）の木板１１以外の下方側の木板１２と、アクリル板１３と、に貫通孔１４，１５を形成し、貫通孔１４，１５に挿入したネジ１６を、上方側（一方の側部側）の木板１１に螺合したことで、ネジ１６により上下の木板１１，１２とアクリル板１３との連結剛性をより高めることができ、かつ上方側（一方の側部側）の木板１１の上面側（表面側）には、ネジ１６を貫通する貫通孔を形成せずに済むようになり、この上面側（表面側）には、ネジ１６や貫通孔による凹凸が形成されないので、平坦な表面として棚板１０上に載置される商品を疵つけることがなくなり、安全性が確保されるばかりか、客の目につきやすい棚板１０の上面の見栄えが向上する。尚、木板１１，１２とアクリル板１３と間にアルミ箔や鏡状部材を配置して反射率を高めてもよい。
【００３８】
また、棚板１０は、複数立設された支柱２間に架設されることで、棚板１０を構成する棚板１０の四方が遮られることなくなり、棚板１０の空間部Ｓの開口から光が入射し易くなる。
【００３９】
また、支柱２間には、透過性を有する材質で形成された仕切板としての透過背面板６が設けられていることで、棚板１０の空間部Ｓの開口に入射される光が、支柱２間に配置される透過背面板６により遮られることがなくなる。
【００４０】
また、アクリル板１３は、着色されていることで、アクリル板１３を透過した光に色が着くようになり、棚装置１の見栄えを向上させることができる。尚、各種の商品は棚板１０毎、または棚装置１毎に区別されて陳列されるため、アクリル板１３の色は、該当する棚板１０の上面に陳列される商品に応じた色とすることもできる。例えば、商品が食料品等の場合には、アクリル板１３を若干赤みがかかった色に着色する。また、木板１１，１２にも着色を行い、その木板１１，１２の色に合わせた色にアクリル板１３を着色することもできる。
【実施例２】
【００４１】
次に、実施例２に係る棚装置につき、図５を参照して説明する。図５は、実施例２における棚装置を示す斜視図である。以下、図５の紙面左下側を棚装置の正面側（前方側）として説明する。
【００４２】
図５に示すように、実施例２における棚装置１９は、床面に立設された左右２枚の本実施例における板体としての側板２０を有している。この側板２０の下部には、引出し部２１を備える収納部２２が設けられており、この収納部２２を介して左右の側板２０の下部同士が連結されている。
【００４３】
また、それぞれの側板２０の上部同士は、連結材２３により連結されている。棚装置１９の背面側における側板２０同士の間には、透過性を有するアクリル樹脂を用いて形成された本実施例における仕切板としての透過背面板２４が設けられている。更に、側板２０同士の間には、棚部としての棚板２５が架設されており、それぞれの棚板２５の上面には、棚板２５上の商品を左右方向に仕切る本実施例における板体としての間仕切パネル２６が設けられている。
【００４４】
実施例２において、各側板２０及び各間仕切パネル２６は、前記実施例１の棚板１０と同様に、左右に重畳して配置される２枚の本実施例における非透過性板部材としての木板２７，２８と、この木板２７，２８同士の間に配置される１枚の本実施例における透過性部材としてのアクリル板２９，３０と、を有している。
【００４５】
棚装置１９に背面側から光が照射されると、アクリル板２９，３０内に外方からの光が入射される。アクリル板２９，３０内に入射された光は、アクリル板２９，３０の左面と右面における外部との境界面（反射面）によって連続的に反射されてアクリル板２９，３０の前方側の端部から外部に照射される。そして、この光は、側板２０の正面側の辺の開口から外部に照射され、棚装置１９の正面側に立つ客（人物）の目には、側板２０及び間仕切パネル２６の正面側の端縁に沿って線状に光る装飾が施されているように見える。
【実施例３】
【００４６】
次に、実施例３に係る棚板につき、図６を参照して説明する。尚、前記実施例と同一構成で重複する構成を省略する。図６は、実施例３における棚板を示す分解斜視図である。以下、図６の紙面左下側を棚板の正面側（前方側）として説明する。
【００４７】
実施例３における棚装置の棚板３１以外の構成は、実施例１における棚装置１の構成と同じなので、ここでは実施例３における棚板３１について詳述する。図６に示すように、１段の棚板３１は、上下に重畳して配置される２枚の本実施例における非透過性板部材としての木板３２，３３と、この木板３２，３３同士の間に配置される複数本の本実施例における透過性部材としてのアクリル棒３４と、を有している。
【００４８】
アクリル棒３４は、透過性を有するアクリル樹脂を用いて形成された棒状部材となっており、その長手は前後方向に延びているとともに、その長さは木板３２，３３の前後幅寸法と略同一寸法となっている。尚、アクリル棒３４は、透過性を有しつつ、所定の色に着色されており、それぞれのアクリル棒３４が異なる色に着色されている。
【００４９】
木板３２，３３は、前述した実施例１と同様に集成材（木材）を用いて形成されており、上方側の木板３２の下面側及び下方側の木板３３の上面側には、複数条の溝条３５，３６が形成されている。上下２枚の木板３２，３３が連結されると、溝条３５，３６同士がアクリル棒３４と略同一寸法を有する円筒形状をなす空間部を形成するようになっている。この溝条３５，３６内にアクリル棒３４が配置されるようになっている。
【００５０】
上下の木板３２，３３が連結される際には、上方側の木板３２の下面と下方側の木板３３の上面とが互いに当接されるようになっている。下方側に配置される木板３３には、上下方向に貫通される複数の貫通孔３７が形成されており、それぞれの貫通孔３７には、下方側の木板３３の下面側から本実施例における螺合部材としてのネジ３８が挿設されるようになっている。下方側の木板３３の貫通孔３７に挿設されたネジ３８は、上方側の木板３２の下面側に螺合されるようになっており、このネジ３８により上下の木板３２，３３が強固に連結されるようになっている。
【００５１】
実施例３における棚装置に背面側から光が照射されると、アクリル棒３４内に外方からの光が入射される。アクリル棒３４内に入射された光は、アクリル棒３４の外周面における外部との境界面（反射面）によって連続的に反射されてアクリル棒３４の前方側の端部から外部に照射される。そして、この光は、棚板３１の正面側の辺の開口から外部に照射され、棚装置の正面側に立つ客（人物）の目には、棚板３１の正面側の端縁に沿って点状に連続的に並んで光る装飾が施されているように見える。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例１では、棚板１０を構成する木板１１，１２を上下２枚にして、その間にアクリル板１３を配置しているが、棚板１０を構成する木板を３枚以上にして、それぞれの木板の間にアクリル板を配置するようにしてもよい。
【図面の簡単な説明】
【００５４】
【図１】実施例１における棚装置を示す斜視図である。
【図２】棚板を示す分解斜視図である。
【図３】棚板を示す平面図である。
【図４】図３における棚板を示すＡ−Ａ縦断側面図である。
【図５】実施例２における棚装置を示す斜視図である。
【図６】実施例３における棚板を示す分解斜視図である。
【符号の説明】
【００５５】
１                棚装置
２                支柱
６                透過背面板（仕切板）
７                金属フレーム部
１０              棚板（板体，棚部）
１１，１２        木板（非透過性板部材）
１３              アクリル板（透過性部材）
１４，１５        貫通孔
１６，１７        ネジ（螺合部材）
１９              棚装置
２０              側板（板体）
２４              透過背面板（仕切板）
２５              棚板（棚部）
２６              間仕切パネル（板体）
２７，２８        木板（非透過性板部材）
２９，３０        アクリル板（透過性部材）
３１              棚板（板体）
３２，３３        木板（非透過性板部材）
３４              アクリル棒（透過性部材）
３５，３６        溝条（空間部）
３７              貫通孔
３８              ネジ（螺合部材）
【図１】
2010005145.tif 000003
【図２】
2010005145.tif 000004
【図３】
2010005145.tif 000005
【図４】
2010005145.tif 000006
【図５】
2010005145.tif 000007
【図６】
2010005145.tif 000008